(57)【要約】【課題】加湿空気を対象物に供給する加湿システムにおいて、対象物を効率良く加湿する。【解決手段】被処理空気を空気調和する空気調和装置（110）と、該空気調和装置（110）内に設けられ、空気調和後の被処理空気に、霧化させ且つ帯電させた水滴を混入させる静電噴霧装置（2）と、人（P）を接地させる導電性デスク（3）とを備える。こうすることで、帯電した水滴が混入し且つ空気調和された被処理空気が帯電した人（P）に接近すると、該被処理空気中に含まれる水滴が電気影像力によって人（P）に引き寄せられ、それにつられて、該水滴を含む被処理空気も該水滴と共に人（P）に引き寄せられる。【選択図】図１
2008039207.tif 000002
【特許請求の範囲】
【請求項１】
空気調和された被処理空気を対象物（P）に供給する空気調和システムであって、
被処理空気を空気調和する空気調和手段（110）と、
液体を霧化させ且つ帯電させた状態で被処理空気に混入させる帯電霧化手段（2,2A,2B,2C）と、
前記対象物（P）を接地させる対象物接地手段（3）とを備えることを特徴とする空気調和システム。
【請求項２】
空気調和された被処理空気を対象物（P）に供給する空気調和システムであって、
被処理空気を空気調和する空気調和手段（110）と、
液体を霧化させ且つ帯電させた状態で被処理空気に混入させる帯電霧化手段（2,2A,2B,2C）と、
前記対象物（P）を前記帯電霧化手段（2,2A,2B,2C）で帯電させた液体の電位と逆電位に帯電させる対象物帯電手段（203）とを備えることを特徴とする空気調和システム。
【請求項３】
請求項１又は２において、
前記帯電霧化手段（2）は、液体を放出する放出口（51a）を有する液体放出部（51）と該放出口（51a）の近傍に電界を形成する電界形成手段（22,50,60）とを有し、該放出口（51a）近傍に位置する液体に電界を作用させることで該液体を帯電させた状態で霧化させる静電噴霧手段（2）であることを特徴とする空気調和システム。
【請求項４】
請求項１又は２において、
前記帯電霧化手段（2A,2B,2C）は、液体を霧化させる霧化手段（7A,8,10）と液体を帯電させる帯電手段（7B,9）とを含むことを特徴とする空気調和システム。
【請求項５】
請求項４において、
前記帯電手段（9）は、前記霧化手段（8,10）で霧化された液体をコロナ放電を利用して帯電させることを特徴とする空気調和システム。
【請求項６】
請求項４において、
前記帯電手段（7B）は、液体に電界を作用させて該液体を分極させるものであり、
前記霧化手段（7A）は、前記帯電手段（7B）で分極させた液体を霧化させることを特徴とする空気調和システム。
【発明の詳細な説明】
【技術分野】
【０００１】
本発明は、空気調和した被処理空気を対象物に供給する空気調和システムに関するものである。
【背景技術】
【０００２】
従来より、空気調和した被処理空気を対象物へ供給する空気調和システムとして種々のものが知られており、かかる空気調和システムにおいては空気調和した被処理空気を対象物へ効果的に供給することが求められている。従来の空気調和システムでは、被処理空気を対象物へ効果的に供給すべく、被処理空気吹き出し時の風向きや風量等の調節を行っている。
【０００３】
例えば、特許文献１に開示された空気調和システムは、室内の人体を検知する手段を設け、被処理空気の風向きを人体の方向へ制御することによって、被処理空気を人へ効果的に供給している。
【０００４】
また、特許文献２に開示された冷房用の空気調和システムは、熱源側の温かい空気を室内の上方へ排気する一方で、低温空気（被処理空気）を人（対象物）の頭上に向けて吹き出している。こうすることによって、該空気調和システムは、低温空気を人に対して直接吹き付けるのではなく、低温空気と室内空気との温度差及び空気密度差を利用して、低温空気を人の頭上からゆっくり落下させて供給している。
【特許文献１】特開２００１−３０４６５５号公報
【特許文献２】特開２００４−２８６２９３号公報
【発明の開示】
【発明が解決しようとする課題】
【０００５】
ところが、空気調和システムから供給される被処理空気の風向きを制御したとしても、該被処理空気は拡散してしまうため、その全てが対象物まで届くわけではない。室内全体に空気調和された被処理空気を行き渡らせたい場合には被処理空気が拡散することは問題とならないが、前記特許文献１及び２のように、被処理空気を特定の対象物へ供給したい場合には被処理空気の拡散が問題となる。すなわち、空気調和システムは、対象物まで届けたい量以上の被処理空気を供給しなければならず、効率が悪いものとなる。
【０００６】
本発明は、かかる点に鑑みてなされたものであり、その目的とするところは、空気調和された被処理空気を対象物へ効率良く供給することにある。
【課題を解決するための手段】
【０００７】
本発明は、被処理空気に液滴を混入させると共に、該液滴と該被処理空気が供給される対象物（P）との間に電位差を生じさせることによって、電気的な力を利用して、空気調和された被処理空気を対象物（P）に効率良く供給するようにしたものである。
【０００８】
第１の発明は、空気調和された被処理空気を対象物（P）に供給する空気調和システムが対象である。そして、被処理空気を空気調和する空気調和手段（110）と、液体を霧化させ且つ帯電させた状態で被処理空気に混入させる帯電霧化手段（2,2A,2B,2C）と、前記対象物（P）を接地させる対象物接地手段（3）とを備えるものとする。
【０００９】
前記の構成の場合、被処理空気は、前記空気調和手段（110）により空気調和されると共に前記帯電霧化手段（2,2A,2B,2C）により帯電した微細な液滴が混入される。一方、前記対象物（P）は、前記対象物接地手段（3）によって接地される。そして、帯電した液滴が混入し且つ空気調和された被処理空気が接地された対象物（P）に接近すると、該被処理空気中に含まれる液滴が電気影像力（該液滴の電荷により作られた電界によって該対象物（P）に液滴と逆電位の電荷が誘起されることで、液滴と対象物（P）との間に働く静電気力）によって対象物（P）に引き寄せられる。それにつられて、該液滴を含む被処理空気も該液滴と共に対象物（P）に引き寄せられる。つまり、従来であれば、そのまま拡散していき対象物（P）に作用しない被処理空気が、該被処理空気中に帯電した液滴を混入させると共に対象物（P）を接地させることによって、該液滴に誘引されて対象物（P）へ向かって流れていく。その結果、被処理空気の拡散を抑制することができ、対象物（P）へ所定量の被処理空気を供給したい際に空気調和手段（110）から空間中に放出する被処理空気を低減することができる。
【００１０】
尚、前記帯電霧化手段（2,2A,2B,2C）は、液体を霧化した後に帯電させるものであっても、液体を帯電させた後に霧化するものであっても、液体を帯電させながら霧化するものであってもよく、帯電と霧化との順序は問わない。
【００１１】
また、前記帯電霧化手段（2,2A,2B,2C）によって霧化し且つ帯電した液体を被処理空気に混入させるのは、該被処理空気を空気調和手段（110）によって空気調和する前であっても、空気調和した後であっても構わない。
【００１２】
第２の発明は、空気調和された被処理空気を対象物（P）に供給する空気調和システムが対象である。そして、被処理空気を空気調和する空気調和手段（110）と、液体を霧化させ且つ帯電させた状態で被処理空気に混入させる帯電霧化手段（2,2A,2B,2C）と、前記対象物（P）を前記帯電霧化手段（2,2A,2B,2C）で帯電させた液体の電位と逆電位に帯電させる対象物帯電手段（203）とを備えるものとする。
【００１３】
前記の構成の場合、被処理空気は、前記空気調和手段（110）により空気調和されると共に前記帯電霧化手段（2,2A,2B,2C）により帯電した微細な液滴が混入される。一方、前記対象物（P）は、前記対象物帯電手段（203）によって該帯電霧化手段（2,2A,2B,2C）で帯電される液滴の電位と逆電位に帯電される。そして、帯電した液滴が混入し且つ空気調和された被処理空気が帯電した対象物（P）に接近すると、該被処理空気中に含まれる液滴がクーロン力によって対象物（P）に引き寄せられる。それにつられて、該液滴を含む被処理空気も該液滴と共に対象物（P）に引き寄せられる。つまり、従来であれば、そのまま拡散していき対象物（P）に作用しない被処理空気が、該被処理空気中に帯電した液滴を混入させると共に対象物（P）を該液滴と逆電位に帯電させることによって、該液滴に誘引されて対象物（P）へ向かって流れていく。その結果、被処理空気の拡散を抑制することができ、対象物（P）へ所定量の被処理空気を供給したい際に空気調和手段（110）から空間中に放出する被処理空気を低減することができる。
【００１４】
尚、前記帯電霧化手段（2,2A,2B,2C）は、液体を霧化した後に帯電させるものであっても、液体を帯電させた後に霧化するものであっても、液体を帯電させながら霧化するものであってもよく、帯電と霧化との順序は問わない。
【００１５】
また、前記帯電霧化手段（2,2A,2B,2C）によって霧化し且つ帯電した液体を被処理空気に混入させるのは、該被処理空気を空気調和手段（110）によって空気調和する前であっても、空気調和した後であっても構わない。
【００１６】
第３の発明は、第１又は第２の発明において、前記帯電霧化手段（2）は、液体を放出する放出口（51a）を有する液体放出部（51）と該放出口（51a）の近傍に電界を形成する電界形成手段（22,50,60）とを有し、該放出口（51a）近傍に位置する液体に電界を作用させることで該液体を帯電させた状態で霧化させる静電噴霧手段（2）であるものとする。
【００１７】
前記の構成の場合、前記帯電霧化手段（2）は、いわゆる静電噴霧によって帯電した微細な液滴を放出する。かかる静電噴霧によれば、前記液体放出部（51）の放出口（51a）に位置する液体がクーロン力によって霧化されるため、液体の帯電と霧化とを同時に行うことができる。その結果、帯電霧化手段（2）の構成を簡略化することができ、部品点数を削減することができる。
【００１８】
第４の発明は、第１又は第２の発明において、前記帯電霧化手段（2A,2B,2C）は、液体を霧化させる霧化手段（7A,8,10）と液体を帯電させる帯電手段（7B,9）とを含むものとする。
【００１９】
前記の構成の場合、帯電霧化手段（2A,2B,2C）を霧化手段（7A,8,10）と帯電手段（7B,9）とで構成することによって、霧化と帯電とにそれぞれ特化して設計することができるため、設計自由度を向上させることができる。
【００２０】
第５の発明は、第４の発明において、前記帯電手段（9）は、前記霧化手段（8,10）で霧化された液体をコロナ放電を利用して帯電させるものとする。
【００２１】
前記の構成の場合、前記霧化手段（8,10）にコロナ放電を利用した帯電手段（9）を組み合わせることによって、前記帯電霧化手段（2A,2B,2C）を簡易に実現することができる。
【００２２】
第６の発明は、第４の発明において、前記帯電手段（7B）は、液体に電界を作用させて該液体を分極させるものであり、前記霧化手段（7A）は、前記帯電手段（7B）で分極させた液体を霧化させるものとする。
【００２３】
前記の構成の場合、液体を分極させて霧化させることで、帯電し且つ霧化した状態の液体を放出することができるため、前述のコロナ放電を利用する構成と比較しても、前記帯電霧化手段（2A,2B,2C）を簡易に実現することができる。
【発明の効果】
【００２４】
本発明によれば、被処理空気を前記空気調和手段（110）によって空気調和すると共に被処理空気に前記帯電霧化手段（2,2A,2B,2C）によって帯電した微細な液滴を混入させる一方、前記対象物接地手段（3）により対象物（P）を接地させることによって、帯電した液滴に作用する電気影像力を利用して、空気調和された被処理空気の拡散を抑制するこができ、少量の被処理空気であっても対象物（P）まで効率良く到達させることができる。その結果、供給する被処理空気を低減することができ、空気調和システム（1）の消費電力を抑制することができる。
【００２５】
また、別の本発明によれば、被処理空気を前記空気調和手段（110）によって空気調和すると共に被処理空気に前記帯電霧化手段（2,2A,2B,2C）によって帯電した微細な液滴を混入させる一方、前記対象物帯電手段（203）により対象物（P）を該液滴と逆電位に帯電させることによって、帯電した液滴に作用するクーロン力を利用して、空気調和された被処理空気の拡散を抑制することができ、少量の被処理空気であっても対象物（P）まで効率良く到達させることができる。その結果、供給する被処理空気を低減することができ、空気調和システム（1）の消費電力を抑制することができる。また、前記対象物接地手段（3）によって対象物（P）を接地させる構成と比較すると、電気影像力よりも相対的に強いクーロン力を利用しているため、より効率良く、被処理得空気を対象物（P）へ供給することができる。
【００２６】
第３の発明によれば、前記帯電霧化手段（2）として静電噴霧手段を採用することによって、液体の帯電と霧化とを同時に行うことができ、帯電霧化手段（2）の構成を簡略化することができる。
【００２７】
第４の発明によれば、前記帯電霧化手段（2A,2B,2C）を前記霧化手段（7A,8,10）と帯電手段（7B,9）とで構成することによって、帯電霧化手段（2A,2B,2C）の設計自由度を向上させることができ、霧化能力と帯電能力とを別々に向上させることができる。
【００２８】
第５の発明によれば、前記霧化手段（8,10）にコロナ放電を利用した帯電手段（9）を組み合わせることによって、前記帯電霧化手段（2A,2B,2C）を簡易に実現することができる。
【００２９】
第６の発明によれば、液体を分極させて霧化させることで、帯電し且つ霧化した状態の液体を放出することができるため、前述のコロナ放電を利用する構成と比較しても、前記帯電霧化手段（2A,2B,2C）を簡易に実現することができる。
【発明を実施するための最良の形態】
【００３０】
以下、本発明の実施形態を図面に基づいて詳細に説明する。
【００３１】
《発明の実施形態１》
図１に、本発明の実施形態１に係る空気調和システム（100）を示す。空気調和システム（100）は、帯電した液滴が混入され且つ空気調和された被処理空気を供給する空気調和装置（110）と、該被処理空気が供給される対象物としての人を接地（アース）させる導電性デスク（3）とを備えている。
【００３２】
前記導電性デスク（3）は、その天板上に、接地面（G）にアースされた導電性マット（図示省略）が設置されている。つまり、この導電性デスク（3）の使用者（P）が導電性マットに触れることよって、該使用者（P）は接地されることになる。この導電性デスク（3）が対象物接地手段を構成する。尚、図１は、導電性マット及びその端子等を省略したものであり、便宜的に導電性デスク（3）と接地面（G）とを接続した図となっている。
【００３３】
前記空気調和装置（110）は、オフィス等の机に取り付けられるパーソナル型の空気調和装置である。この空気調和装置（110）は、図２に示すように、ケーシング（111）と、ケーシング（111）内に収納された熱源側熱交換器（121）、熱源側ファン（122）、利用側熱交換器（123）及び利用側ファン（124）とを有している。
【００３４】
前記ケーシング（111）の内部には仕切板（112）が設けられており、ケーシング（111）の内部空間は該仕切板（112）によって熱源側収納部（113）と利用側収納部（114）とに仕切られている。
【００３５】
また、ケーシング（111）の熱源側収納部（113）には室内空気を吸い込むための熱源側吸込口（115）が形成されていると共に、熱源側収納部（113）内の空気を室内へ排気するための排気口（116）が形成されている。一方、ケーシング（111）の利用側収納部（114）には室内空気を吸い込むための利用側吸込口（117）が形成されていると共に、利用側収納部（114）内の空気を室内へ吹き出すための吹出口（118）が形成されている。
【００３６】
前記熱源側収納部（113）には、熱源側吸込口（115）から排気口（116）へ向かって順に、前記熱源側熱交換器（121）と熱源側ファン（122）とが収納されている。一方、前記利用側収納部（113）には、利用側吸込口（117）から吹出口（118）へ向かって順に、前記利用側熱交換器（123）と利用側ファン（124）とが収納されている。前記熱源側熱交換器（121）と利用側熱交換器（123）とは、図示省略の圧縮機、四路切換弁及び膨張弁と共に冷媒回路を構成している。
【００３７】
すなわち、空気調和装置（110）は、四路切換弁を切り換えることによって冷房運転と暖房運転を行うように構成されている。
【００３８】
詳しくは、冷房運転時は、利用側収納部（114）では、利用側ファン（124）の駆動により利用側吸込口（117）から被処理空気としての室内空気が取り込まれる。取り込まれた室内空気は利用側熱交換器（123）により冷媒と熱交換して温度低下した調和空気となる。この調和空気は利用側ファン（124）によって吹出口（118）から室内へ吹き出される。この吹出口（118）は、概ね、調和空気が供給される対象である使用者（P）の側を向いている。一方、熱源側収納部（113）では、熱源側ファン（122）の駆動により熱源側吸込口（115）から室内空気が取り込まれる。取り込まれた室内空気は熱源側熱交換器（121）により冷媒と熱交換して温度上昇した排気空気となる。この排気空気は、熱源側ファン（122）によって排気口（116）から室内へ排気される。この排気口（116）は、室内上方を向いており、排気口（116）から排気された排気空気は、使用者（P）から離れていくように流れていく。
【００３９】
また、暖房運転時には、利用側収納部（114）では、利用側ファン（124）の駆動により利用側吸込口（117）から被処理空気としての室内空気が取り込まれる。取り込まれた室内空気は利用側熱交換器（123）により冷媒と熱交換して温度上昇した調和空気となる。この調和空気は、利用側ファン（124）によって吹出口（118）から室内へ吹き出される。一方、熱源側収納部（113）では、熱源側ファン（122）の駆動により熱源側吸込口（115）から室内空気が取り込まれる。取り込まれた室内空気は熱源側熱交換器（121）により冷媒と熱交換して温度低下した排気空気となる。この排気空気は、熱源側ファン（122）によって排気口（116）から室内へ排気される。
【００４０】
このように構成された空気調和装置（110）のケーシング（111）内には、該空気調和装置（110）から供給される調和空気に、帯電した液滴を混入させるための静電噴霧装置（2）が収納されている。この静電噴霧装置（2）は、後述する噴霧ノズル（51）の先端開口（51a）が、ケーシング（111）の吹出口（118）の近傍に位置するように設けられている。
【００４１】
前記静電噴霧装置（2）は、図３に示すように、噴霧カートリッジ（21）と電源（22）と制御器（23）とを備えている。この静電噴霧装置（2）が帯電霧化手段を構成する。
【００４２】
図４，５に示すように、噴霧カートリッジ（21）は、溶液タンク（40）と、ノズルユニット（50）と、電極ホルダー（60）と、棒状電極（63）とを備えている。
【００４３】
前記溶液タンク（40）は、タンク本体（41）を備えている。タンク本体（41）は、やや扁平な直方体形状に形成された中空の容器である。タンク本体（41）の天板には、空気抜き孔（45）が形成されている。タンク本体（41）の底面（42）は、タンク本体（41）の背面（図３における左側面、図４における奥側の側面）からタンク本体（41）の前面（図３における右側面、図４における手前側の側面）へ向かって傾斜した傾斜面となっている。そして、タンク本体（41）では、その背面側よりも前面側の方が深くなっている。また、タンク本体（41）の側面は、概ね鉛直面となっている。
【００４４】
前記タンク本体（41）の前面には、管部（43）が設けられている。この管部（43）は、比較的短い円管状に形成されており、タンク本体（41）の前面から概ね水平方向へ突出している。タンク本体（41）の前面において、管部（43）は、該前面の下端寄りで、且つ該前面の幅方向の概ね中央に配置されている。また、タンク本体（41）の前面を形成する壁には貫通孔（44）が形成されており、この貫通孔（44）を介してタンク本体（41）の内部空間と管部（43）とが連通する。貫通孔（44）の下端は、タンク本体（41）の底面（42）よりも僅かに上方に位置している（図３を参照）。
【００４５】
図４，５に示すように、前記ノズルユニット（50）は、噴霧ノズル（51）とノズルホルダー（52）とを備えている。
【００４６】
前記噴霧ノズル（51）は、ステンレス製の円管である。一方、前記ノズルホルダー（52）は、円筒型で有底のキャップ状に形成されている。ノズルホルダー（52）は、その内径が管部（43）の外径と概ね等しくなっており、該管部（43）へ被せられている。つまり、ノズルホルダー（52）には、溶液タンク（40）の管部（43）が挿入されている。ノズルホルダー（52）では、図６に示すように、その底部（図４における手前側の端部）の中央に噴霧ノズル（51）の基端部が挿入されている。噴霧ノズル（51）の基端部は、ノズルホルダー（52）の底部を貫通している。溶液タンク（40）にノズルユニット（50）を取り付けると、噴霧ノズル（51）がタンク本体（41）の前面から概ね水平方向へ突出した状態となり、更には、噴霧ノズル（51）が管部（43）及び貫通孔（44）を介してタンク本体（41）の内部空間に連通した状態となる。この噴霧ノズル（51）が液体放出部を、該噴霧ノズル（51）の先端開口（51a）が放出口を構成している。
【００４７】
前記ノズルホルダー（52）には、端子部（53）が設けられている。この端子部（53）は、ノズルホルダー（52）の外周面から突出しており、ノズルホルダー（52）の開口端側（図４における奥側）に配置されている。ノズルホルダー（52）は、端子部（53）を含む全体が導電性樹脂によって構成されている。そして、ノズルホルダー（52）の底部に挿入された噴霧ノズル（51）は、ノズルホルダー（52）と電気的に接続されており、第１電極を構成している。
【００４８】
前記電極ホルダー（60）は、内筒部（61）と外筒部（62）とを備えている。内筒部（61）と外筒部（62）とは、共に円筒状に形成されている。外筒部（62）の内径は、内筒部（61）の外径よりも大きくなっている。内筒部（61）と外筒部（62）とは、互いに同軸に配置されており、それぞれの基端側で互いに連結されて一体化されている。内筒部（61）の内径は、ノズルホルダー（52）の外径と概ね等しくなっている。電極ホルダー（60）は、内筒部（61）及び外筒部（62）の基端側が溶液タンク（40）のタンク本体（41）側を向く姿勢で、その内筒部（61）がノズルホルダー（52）と嵌合することによって、該ノズルホルダー（52）に取り付けられている。この電極ホルダー（60）は、その全体が非導電性の樹脂で構成されている。
【００４９】
前記棒状電極（63）は、断面が円形の棒状に形成された部材であって、第２電極を構成している。棒状電極（63）の材質は、金属等の導電性材料である。この棒状電極（63）は、電極ホルダー（60）の外筒部（62）の先端面（図３，図５における右端面）に突設されている。外筒部（62）から突出した棒状電極（63）の先端部分は、突端部（64）を構成している。棒状電極（63）の突端部（64）は、噴霧ノズル（51）の先端よりも溶液タンク（40）側へ後退した位置に設けられている。また、棒状電極（63）の突端部（64）は、噴霧ノズル（51）の側方に位置している。この棒状電極（63）は、電源（22）の負極端子と電気的に接続されている。上述したように、電極ホルダー（60）は、その材質が非導電性の樹脂となっている。従って、棒状電極（63）は、噴霧ノズル（51）から電気的に絶縁されている。
【００５０】
なお、上述した噴霧ノズル（51）及び棒状電極（63）の材質は、単なる一例である。つまり、噴霧ノズル（51）の材質は、ステンレス以外の導電性材料（例えば導電性樹脂など）であってもよい。また、棒状電極（63）の材質は、導電性樹脂以外の導電性材料（例えば金属など）であってもよい。
【００５１】
前記溶液タンク（40）のタンク本体（41）内には、噴霧用液体として水が貯留されている。タンク本体（41）内における液面（46）の位置は、タンク本体（41）の下部から水平方向へ延びる噴霧ノズル（51）の先端よりも高くなっている。タンク本体（41）内の液面（46）と噴霧ノズル（51）の先端との間にはヘッド差があり、このヘッド差によってタンク本体（41）内の水が噴霧ノズル（51）の先端へ供給される。
【００５２】
この噴霧カートリッジ（21）では、噴霧ノズル（51）の先端から液滴化された噴霧用液体が放出されてゆく。このため、噴霧ノズル（51）内へ噴霧用液体が補給されなければ、噴霧ノズル（51）内の噴霧用液体の量が減少してしまって噴霧を継続できなくなる。一方、この噴霧カートリッジ（21）では、噴霧ノズル（51）の先端が溶液タンク（40）内の液面（46）よりも低い位置に設けられており、溶液タンク（40）内の液面（46）と噴霧ノズル（51）の先端との間にヘッド差がある。そのため、このヘッド差によって噴霧ノズル（51）内へ溶液タンク（40）内の噴霧用液体が噴霧ノズル（51）へ補給され、噴霧ノズル（51）からの噴霧が継続的に行われる。つまり、本実施形態の静電噴霧装置（2）において、溶液タンク（40）内の噴霧用液体を噴霧ノズル（51）へ供給するためのポンプ等の部材は不要である。
【００５３】
前記電源（22）は、直流高電圧電源である。この電源（22）は、その正極端子がノズルホルダー（52）の端子部（53）を介して噴霧ノズル（51）に電気的に接続され、その負極端子が棒状電極（63）に電気的に接続されている。また、電源（22）の負極端子は、接地（アース）されている。この電源（22）をオンすると、噴霧ノズル（51）に６ｋＶ程度の電圧が印加される。前記電源（22）、ノズルユニット（50）及び電極ホルダー（60）が電界形成手段を構成する。なお、図３は、ノズルホルダー（52）の端子部（53）の図示を省略したものであり、便宜的に電源（22）を噴霧ノズル（51）に接続した図となっている。
【００５４】
前記制御器（23）は、電源（22）のスイッチングを行うものであって、制御手段を構成している。具体的に、この制御器（23）は、電源（22）のオン／オフを交互に繰り返すように構成されている。また、制御器（23）は、電源（22）をオンしている時間（オン時間）と電源（22）をオフしている時間（オフ時間）の比率、すなわちデューティー比を、溶液タンク（40）内の液面（46）の高さに応じて調節するように構成されている。
【００５５】
このように構成された静電噴霧装置（2）は、いわゆるコーンジェットモードのＥＨＤ噴霧を行う。
【００５６】
前述したように、噴霧カートリッジ（21）では、溶液タンク（40）内の液面（46）が噴霧ノズル（51）の先端よりも上に位置しており、溶液タンク（40）内の液面（46）と噴霧ノズル（51）の先端との間にヘッド差がある状態となっている。このため、噴霧ノズル（51）の先端開口（51a）に形成される気液界面（47）には、ヘッド差に起因する液圧が作用している。
【００５７】
電源（22）がオフになった状態（即ち噴霧ノズル（51）と棒状電極（63）とが同電位である状態）において、噴霧ノズル（51）の先端開口（51a）に形成された気液界面（47）では、図７(Ｂ)に示すように、表面張力とヘッド差に起因する液圧とが均衡した状態となっている。このため、電源（22）をオフした状態でも、噴霧ノズル（51）の先端開口（51a）から噴霧用液体が流出することはない。
【００５８】
電源（22）がオンになった状態（即ち噴霧ノズル（51）と棒状電極（63）との間に電位差が付与された状態）では、噴霧ノズル（51）の先端開口（51a）近傍に電界が形成される。また、噴霧ノズル（51）内の噴霧用液体が分極し、噴霧ノズル（51）の先端開口（51a）の気液界面（47）近傍に正（＋）の電荷が集まる。そして、噴霧ノズル（51）の先端開口（51a）に存在する噴霧用液体には、それを噴霧ノズル（51）から引っ張り出す方向のクーロン力が作用する。その結果、噴霧ノズル（51）の先端では、図７(Ａ)に示すように、気液界面（47）が引き延ばされて円錐状となり、この円錐状となった気液界面（47）の頂部から一部の噴霧用液体が引きちぎられるようにして液滴化する。
【００５９】
噴霧ノズル（51）の先端開口（51a）からは、水の微細な液滴が放出される。この液滴は正に帯電している。
【００６０】
−運転動作−
前記空気調和システム（100）の運転動作について説明する。
【００６１】
前記空気調和装置（110）は、前述したように、前記四路切換弁を切り換えることによって冷房運転と暖房運転とを択一的に行う。空気調和装置（110）が冷房運転又は暖房運転を行うと、利用側吸込口（117）から室内空気がケーシング（111）内へ取り込まれ、該室内空気は利用側熱交換器（123）を通過することで熱交換されて空気調和される。こうして、空気調和された調和空気は、利用側ファン（124）により吹出口（118）まで送られる。
【００６２】
このとき、吹出口（118）の近傍では、前記静電噴霧装置（2）が運転されている。静電噴霧装置（2）は、噴霧ノズル（51）の先端開口（51a）から帯電した液滴を噴霧している。つまり、静電噴霧装置（2）によって噴霧される帯電した液滴は、調和空気内に混入する。そして、帯電した液滴が混入した調和空気がケーシング（111）の吹出口（118）から室内へ供給される。
【００６３】
一方、導電性デスク（3）の使用者（P）は、導電性デスク（31）上の導電性マットに接触することによって接地された状態となっている。この接地された使用者（P）の近傍に、正に帯電した液滴を含む調和空気が流れてくると、図８に示すように、使用者（P）の表面に負電荷が誘起され、液滴と使用者（P）との間に電気影像力が発生する。その結果、液滴が使用者（P）に引き寄せられ、それに誘引されて調和空気も使用者（P）に向かって流れていく。このように、使用者（P）の近傍まで流れてきた調和空気は、それ以上拡散することが抑制されて、使用者（P）に向かって流れるため、空気調和装置（110）から室内に供給する調和空気の量を抑制することができ、該空気調和システム（100）の消費電力を低減させることができる。
【００６４】
−実施形態１の効果−
したがって、前記実施形態１によれば、空気調和装置（110）によって被処理空気を空気調和して、その調和空気に前記静電噴霧装置（2）によって帯電した液滴を混入させる一方、前記導電性デスク（3）によって使用者（P）を接地させることによって、帯電した液滴に作用する電気影像力を利用して、該液滴が含まれる調和空気を使用者（P）に向かって導くことができる。その結果、空気調和装置（110）から供給される調和空気のうち、拡散せずに対象物（P）に向かって流れていく調和空気の量を増大させることができ、空気調和の供給を効率良く行うことができる。
【００６５】
また、前記空気調和システム（100）は、人等の対象物（P）を接地させることによって、帯電した液滴を含む調和空気の供給効率を向上させているため、後述する実施形態２のように対象物（P）を帯電させる必要がなく、オフィス等の既存の空間に採用し易い。すなわち、空気調和システム（100）は、導電性デスク（3）により対象物（P）を接地させる構成とすることによって、空気調和システム（100）の汎用性を向上させることができる。
【００６６】
尚、前記実施形態では、導電性デスク（3）で対象物接地手段を構成しているが、これに限られるものではない。例えば、チェア（32）を、導電性ビニールレザーや導電性キャスター等で構成される導電性チェアで構成してもよい。また、対象物である人（P）が接地面（G）にアースされた静電ストラップを装着することによって該人（P）を接地するように構成してもよく、対象物である人（P）が静電服及び静電靴を着用し、フロア面に静電マットを設置する等して、該人（P）を接地するように構成してもよい。さらには、マウスやキーボードを接地面（G）に接地させる構成であってもよい。すなわち、人等の対象物（P）を接地できる構成であれば任意の接地手段を採用することができる。
【００６７】
また、前記実施形態１では、静電噴霧装置（2）から供給される液滴を正に帯電させているが、該液滴を負に帯電させる構成であってもよい。
【００６８】
さらに、前記実施形態１では、利用側熱交換器（123）で空気調和した後の調和空気に対して帯電した液滴を混入させるように構成しているが、利用側熱交換器（123）で空気調和する前の被処理空気に予め帯電した液滴を混入させるように構成してもよい。
【００６９】
さらにまた、前記実施形態１では、前記静電噴霧装置（2）は空気調和装置（110）に内蔵されているが、これに限られるものではない。すなわち、静電噴霧装置（2）は空気調和装置（110）に対して外付けされていてもよい。また、静電噴霧装置（2）は空気調和装置（110）とは離れて、空気調和装置（110）から供給される調和空気の流通経路上に設置されていてもよい。
【００７０】
また、前記実施形態１では、空気調和手段として冷凍サイクルを用いた空気調和装置（110）を採用しているが、これに限られず、例えば、ペルチェ素子やヒータを用いた空気調和装置等、任意の空気調和装置を採用することができる。
【００７１】
《発明の実施形態２》
次に、本発明の実施形態２に係る空気調和システム（200）について説明する。この空気調和システム（200）は、人等の対象物（P）を帯電させる点で、対象物（P）を接地させる前記実施形態１とは異なる。尚、実施形態１と同様の構成については同様の符号を付し、説明を省略する。
【００７２】
この実施形態２に係る空気調和システム（200）は、図９に示すように、空気調和装置（110）と、対象物としての人を帯電させる帯電デスク（203）とを備える。
【００７３】
前記空気調和装置（110）は、前記実施形態１と同様の構成である。
【００７４】
前記帯電デスク（203）は、デスク本体（230）と電源（233）とを有している。この電源（233）の負極端子がデスク本体（230）に電気的に接続される一方、電源（233）の正極端子が接地されており、デスク本体（230）に所定の負の電圧が印加されるように構成されている。こうして、デスク本体（230）は、空気調和装置（110）に内蔵された前記静電噴霧装置（2）から供給される液滴とは逆電位である負に帯電している。こうすることで、この帯電デスク（203）を使用する使用者（P）は、デスク本体（230）に触れることによって負に帯電することになる。この帯電デスク（203）が対象物帯電手段を構成する。尚、デスク本体（230）に印加する電圧は、使用者（P）に痛みを与えない程度の電圧に設定されている。
【００７５】
−運転動作−
このように構成された帯電デスク（203）を備えた空気調和システム（200）の運転動作について説明する。
【００７６】
前記空気調和装置（110）の運転動作は、前記実施形態１と同様である。つまり、空気調和装置（110）からは、図１０に示すように、帯電した微細な液滴が混入した調和空気が供給される。
【００７７】
一方、帯電デスク（203）を使用する使用者（P）は、負に帯電した状態となっている。そこへ、帯電した液滴が混入した調和空気が流れてくると、調和空気中の液滴はクーロン力によって使用者（P）に引き寄せられる。すると、該液滴を含む調和空気も該液滴に誘引されて使用者（P）に向かって流れていく。このように、使用者（P）の近傍まで流れてきた調和空気は、それ以上拡散することが抑制されて、使用者（P）に向かって流れるため、空気調和装置（110）から室内に供給する調和空気の量を抑制することができ、該空気調和システム（100）の消費電力を低減させることができる。
【００７８】
−実施形態２の効果−
したがって、前記実施形態２によれば、空気調和装置（110）によって被処理空気を空気調和して、その調和空気に前記静電噴霧装置（2）によって帯電した液滴を混入させる一方、前記帯電デスク（203）によって使用者（P）を該帯電した液滴と逆電位に帯電させることによって、帯電した液滴に作用する電気影像力を利用して、該液滴が含まれる調和空気を使用者（P）に向かって導くことができる。その結果、空気調和装置（110）から供給される調和空気のうち、拡散せずに対象物（P）に向かって流れていく調和空気の量を増大させることができ、空気調和の供給を効率良く行うことができる。
【００７９】
また、クーロン力は前述の電気影像力よりは強いため、前記空気調和システム（200）は、対象物（P）を（液滴とは逆電位に）帯電させることによって実施形態１よりもさらに効率的に調和空気を対象物（P）へ導くことができる。
【００８０】
尚、前記実施形態２では、静電噴霧装置（2）から供給される液滴を正に帯電させているが、該液滴を負に帯電させる構成であってもよい。ただし、その場合には、帯電デスク（203）を正に帯電させる必要がある。
【００８１】
《実施形態１及び２の変形例１》
次に、実施形態１及び２の変形例１について説明する。この変形例１は、帯電霧化手段の構成が実施形態１及び２と異なる。
【００８２】
詳しくは、変形例１に係る帯電霧化装置（2A）は、超音波霧化装置（7）で構成されている。
【００８３】
この超音波霧化装置（7）は、図１１に示すように、超音波霧化部（7A）と分極部（7B）と制御器（73）とを備えている。
【００８４】
前記超音波霧化部（7A）は、噴霧カートリッジ（71）とアンプ（76）とを有している。
【００８５】
前記噴霧カートリッジ（71）は、溶液タンク（74）と振動子（75）とを含んでいる。
【００８６】
前記溶液タンク（74）は、上方に噴口（74a）を有する中空の容器であり、この溶液タンク（74）内に噴霧用液体として水が貯留される。
【００８７】
前記振動子（75）は、前記溶液タンク（74）の底面に設置されると共に、アンプ（76）に接続されている。つまり、振動子（75）はアンプ（76）から電力供給されることによって超音波帯域の振動数で振動し、溶液タンク（74）内の液体に超音波の振動エネルギーを与える。こうすることで、溶液タンク（74）の液体が微細な液滴となって空気中に供給、即ち、噴霧が行われる。
【００８８】
前記アンプ（76）には、制御器（73）が接続されている。つまり、制御器（73）の制御によってアンプ（76）から振動子（75）へ電力が供給されて、噴霧が行われる。
【００８９】
前記分極部（7B）は、放電電極（77）と対向電極（78）とこれら放電電極（77）及び対向電極（78）に接続された電源（72）とを有している。
【００９０】
前記放電電極（77）は、導電性樹脂等の導電性材料からなる棒状の電極であって、溶液タンク（74）に設置されている。詳しくは、放電電極（77）は、溶液タンク（74）の下方位置において、溶液タンク（74）の壁部を貫通して該溶液タンク（74）の内外に突出するように設けられている。
【００９１】
前記対向電極（78）は、金属等の導電性材料からなる環状の電極であって、溶液タンク（74）の噴口（74a）の近傍に設置されている。この対向電極（78）と放電電極（77）とは電気的に絶縁されている。
【００９２】
また、前記電源（72）は、直流高電圧電源である。この電源（72）は、その正極端子が放電電極（77）の溶液タンク（74）外側に突出した部分に電気的に接続される一方、その負極端子が対向電極（78）に電気的に接続される。この電源（72）は制御器（73）に接続されている。
【００９３】
−運転動作−
前記超音波霧化装置（7）の運転動作について説明する。
【００９４】
前述したように、噴霧カートリッジ（71）は、制御器（73）がアンプ（76）をオン状態にすることによって、振動子（75）に電力が供給され、該振動子（75）の振動により、溶液タンク（74）内の水が微細な液滴となって空気中に供給される。このとき、制御器（73）が電源（72）もオン状態（即ち、溶液タンク（74）内の水と対向電極（78）との間に電位差が付与された状態）に制御している。この状態においては、溶液タンク（74）内の水は、水面付近に正の電荷が集まった分極状態となっている。つまり、溶液タンク（74）内の水は、このように分極した状態で振動子（75）により加振されるため、正に帯電した液滴として放出される。
【００９５】
こうして、帯電した微細な液滴が、超音波霧化装置（7）によって空気調和装置（110）のケーシング（111）内の調和空気の流通経路上で放出され、該調和空気に帯電した液滴が混入する。そして、帯電した液滴が混入した調和空気がケーシング（111）の吹出口（118）から室内へ供給される。
【００９６】
室内へ供給された調和空気は、前述の如く、帯電した液滴に作用する電気影像力（実施形態１）又はクーロン力（実施形態２）を利用して、対象物としての人（P）に効率良く導かれる。
【００９７】
この変形例１によれば、水の霧化を前記超音波霧化部（7A）で行う一方、水の帯電を前記分極部（7B）で行うことによって、霧化性能は超音波霧化部（7A）で、帯電性能は分極部（7B）で追求することができるため、設計自由度を向上させることができ、超音波霧化装置（7）全体としての性能を向上させることができる。
【００９８】
また、前記超音波霧化部（7A）を採用することによって、静電噴霧と比較して、より大量に噴霧を行うことができる。
【００９９】
さらに、分極部（7B）を採用することによって、後述するコロナ放電を利用する構成と比較して、帯電霧化手段を簡易に実現することができる。
【０１００】
《実施形態１及び２の変形例２》
続いて、実施形態１及び２の変形例２について説明する。この変形例２は、帯電霧化手段の構成が実施形態１及び２と異なる。
【０１０１】
詳しくは、変形例２に係る帯電霧化装置（2B）は、図１２に示すように、遠心式噴霧部（8）とコロナ放電部（9）とこれら遠心式噴霧部（8）及びコロナ放電部（9）を制御する制御器（11）とで構成されている。この帯電霧化装置（2B）は、前記空気調和装置（110）のケーシング（111）内に配設されている。
【０１０２】
前記遠心式噴霧部（8）は、ハウジング（81）と該ハウジング（81）内に設けられた遠心部（82）とを備えている。
【０１０３】
前記ハウジング（81）には、噴霧用液体としての水を貯留するためのタンク部（83）と、該ハウジング（81）内に空気を導入する空気導入部（84）と、該ハウジング（81）内に導入された空気を噴出するための空気噴出部（85）とが設けられている。
【０１０４】
このハウジング（81）は、利用側熱交換器（123）を通過して空気調和された調和空気が空気導入部（84）から導入されると共に、空気噴出部（85）から噴出する空気がケーシング（111）の吹出口（118）から吹き出されるように配置されている。
【０１０５】
前記遠心部（82）は、回転盤（821）と、該回転盤（821）を回転駆動する回転駆動部（822）とを有する。この回転盤（821）は、漏斗状の回転盤本体（823）と回転盤本体（823）の回転中心からその回転軸に沿って下方に延びる吸入管（824）とを備えている。そして、この回転盤（821）は、前記ハウジング（81）内において、吸入管（824）の先端が前記タンク部（83）内の水に浸漬した状態で回転可能に支承されている。また、回転駆動部（822）には制御器（11）が接続されており、回転駆動部（822）は制御器（11）によって制御されている。
【０１０６】
前記コロナ放電部（9）は、放電電極（91）と対向電極（92）と該放電電極（91）及び該対向電極（92）に接続される電源（93）とを有する。
【０１０７】
これら放電電極（91）及び対向電極（92）とは、前記遠心式噴霧部（8）の空気噴出部（85）の出口近傍において、該空気噴出部（85）から噴出される空気を挟むようにして互いに対向した状態で設置されている。
【０１０８】
前記電源（93）は、直流高電圧電源であって、その正極端子が放電電極（91）に電気的に接続される一方、その負極端子が対向電極（92）に電気的に接続されている。この電源（93）には制御器（11）が接続されており、電源（93）は制御器（11）によって制御される。そして、電源（93）をオン状態とすることによって、放電電極（91）と対向電極（92）との間に高電圧を印加されコロナ放電が発生する。
【０１０９】
−運転動作−
このように構成された変形例２に係る帯電霧化装置（2B）の運転動作について説明する。
【０１１０】
前記制御器（11）が遠心式噴霧部（8）の回転駆動部（822）を作動させると共に、コロナ放電部（9）の電源（93）をオン状態にさせることによって、帯電霧化装置（2B）が運転状態となる。
【０１１１】
前記遠心式噴霧部（8）の回転駆動部（822）を作動させることによって回転盤（821）が回転する。回転盤（821）が回転すると、該回転盤（821）の遠心力によりタンク部（83）内の水が吸入管（824）を介して回転盤本体（823）内に吸い上げられる。回転盤本体（823）内に吸い上げられた水は、高速回転する回転盤本体（823）内で薄い水膜状に形成され、その後、微細な液滴となってハウジング（81）内の空気中に供給される。
【０１１２】
一方、ハウジング（81）内には、前記空気導入部（84）から前記利用側熱交換器（123）で空気調和された調和空気が導入されており、この調和空気に前記遠心部（82）で霧化された液滴が混入する。この液滴が混入した調和空気はハウジング（81）の空気噴出部（85）から噴出される。
【０１１３】
この空気噴出部（85）の出口近傍には前記コロナ放電部（9）が配置されており、空気噴出部（85）から噴出された調和空気は、コロナ放電部（9）の放電電極（91）と対向電極(92)との間に形成された放電場を通過していくことになる。このとき、調和空気中の液滴が帯電する。こうして、帯電した液滴が混入した調和空気が、ケーシング（111）の吹出口（118）から室内へ供給される。
【０１１４】
室内へ供給された調和空気は、前述の如く、帯電した液滴に作用する電気影像力（実施形態１）又はクーロン力（実施形態２）を利用して、対象物としての人（P）に効率良く導かれる。
【０１１５】
この変形例２によれば、水の霧化を前記遠心式噴霧部（8）で行う一方、水の帯電を前記コロナ放電部（9）で行うことによって、霧化性能は遠心式噴霧部（8）で、帯電性能はコロナ放電部（9）で追求することができるため、設計自由度を向上させることができ、帯電噴霧装置（2B）全体としての性能を向上させることができる。
【０１１６】
また、前記遠心式噴霧部（8）を採用することによって、静電噴霧と比較して、より大量に噴霧を行うことができる。
【０１１７】
《実施形態１及び２の変形例３》
続いて、実施形態１及び２の変形例３について説明する。この変形例３は、帯電霧化手段の構成が実施形態１及び２と異なる。
【０１１８】
詳しくは、変形例３に係る帯電霧化装置（2C）は、図１３に示すように、スプレー式噴霧部（10）とコロナ放電部（9）とこれらスプレー式噴霧部（10）及びコロナ放電部（9）とを制御する制御器（11）とで構成されている。この帯電霧化装置（2C）は、空気調和装置（110）のケーシング（111）内に配設されている。尚、この変形例３に係る帯電霧化装置（2C）は、前記変形例２に係る帯電霧化装置（2B）と、噴霧方式において異なる。そこで、スプレー式噴霧部（10）の構成について主に説明し、変形例２と同様の構成については同様の符号を付して、その説明を省略する。
【０１１９】
前記スプレー式噴霧部（10）は、噴霧用液体としての水が貯留された溶液タンク（101）と、該溶液タンク（101）から延びる吸水管（102）と、該吸水管（102）の先端部に設けられたノズル（103）と、吸水管（102）の途中に設けられ、溶液タンク（101）内の水を吸い上げて、ノズル（103）へ圧送するポンプ（104）とを備えている。このポンプ（104）には制御器（11）が接続されており、該制御器（11）によってポンプ（104）が制御される。
【０１２０】
また、前記コロナ放電部（9）は、放電電極（91）及び対向電極（92）とが、ノズル（103）近傍において、該ノズル（103）から噴霧される液滴を挟むようにして互いに対向した状態で設置されている。コロナ放電部（9）の電源（93）には制御器（11）が接続されており、電源（93）は制御器（11）によって制御される。
【０１２１】
このように構成されたスプレー式噴霧部（10）及びコロナ放電部（9）は、空気調和装置（110）のケーシング（111）内において、ノズル（103）と放電電極（91）及び対向電極（92）とが吹出口（118）の近傍に位置するように配設されている。
【０１２２】
−運転動作−
このように構成された変形例３に係る帯電霧化装置（2C）の運転動作について説明する。
【０１２３】
前記制御器（11）がスプレー式噴霧部（10）のポンプ（104）を作動させると共に、コロナ放電部（9）の電源（93）をオン状態にさせることによって、帯電霧化装置（2C）が運転状態となる。
【０１２４】
前記ポンプ（104）を作動させることによって、溶液タンク（101）内の水が吸水管（102）を介してノズル（103）まで吸い上げられ、このノズル（103）から微細な液滴となって噴霧される。
【０１２５】
一方、ノズル（103）の近傍には前記コロナ放電部（9）が配置されており、ノズル（103）から噴霧された液滴は、コロナ放電部（9）の放電電極（91）と対向電極（92）との間に形成された放電場を通過していくことになる。このとき、液滴は帯電する。
【０１２６】
そして、スプレー式噴霧部（10）及びコロナ放電部（9）によって帯電した液滴は、ケーシング（111）内において利用側熱交換器（123）を通過して空気調和された調和空気内に混入する。こうして、帯電した液滴が混入した調和空気が、ケーシング（111）の吹出口（118）から室内へ供給される。
【０１２７】
室内へ供給された調和空気は、前述の如く、帯電した液滴に作用する電気影像力（実施形態１）又はクーロン力（実施形態２）を利用して、対象物としての人（P）に効率良く導かれる。
【０１２８】
この変形例３によれば、水の霧化を前記スプレー式噴霧部（10）で行う一方、水の帯電を前記コロナ放電部（9）で行うことによって、霧化性能はスプレー式噴霧部（10）で、帯電性能はコロナ放電部（9）で追求することができるため、設計自由度を向上させることができ、帯電噴霧装置（2C）全体としての性能を向上させることができる。
【０１２９】
また、前記スプレ式噴霧部（10）を採用することによって、静電噴霧と比較して、より大量に噴霧を行うことができる。
【０１３０】
《その他の実施形態》
本発明は、前記実施形態について、以下のような構成としてもよい。
【０１３１】
すなわち、前記実施形態では、加湿対象物を人としているが、これに限られるものではない。人以外の物を加湿対象物としてもよい。その場合、加湿対象物を任意の手段によって接地（実施形態１）又は帯電（実施形態２）すればよい。
【０１３２】
また、前記実施形態では、噴霧する液体として水を採用しているが、これに限られるものではない。すなわち、帯電させ且つ霧化させた状態で被処理空気に混入させることができる液体であれば、任意の液体を採用することができる。
【産業上の利用可能性】
【０１３３】
以上説明したように、本発明は、調和空気を対象物に効率良く届けることができるため、空気調和システムに有用である。
【図面の簡単な説明】
【０１３４】
【図１】本発明の実施形態１に係る空気調和システムを示す模式図である。
【図２】空気調和装置の概略構成図である。
【図３】静電噴霧装置の概略構成図である。
【図４】噴霧カートリッジの斜視図である。
【図５】噴霧カートリッジの要部を示す断面図である。
【図６】噴霧ノズルと棒状電極の位置関係を示すカートリッジの要部の概略正面図である。
【図７】噴霧ノズルの先端を示す断面図であり、（Ａ）は噴霧中における噴霧ノズルを、（Ｂ）は噴霧停止中における噴霧ノズルを示す。
【図８】被処理空気が対象物に引きつけられる様子を示す説明図である。
【図９】本発明の実施形態２に係る空気調和システムを示す模式図である。
【図１０】被処理空気が対象物に引きつけられる様子を示す説明図である。
【図１１】変形例１に係る帯電霧化装置を示す模式図である。
【図１２】変形例２に係る帯電霧化装置を示す模式図である。
【図１３】変形例３に係る帯電霧化装置を示す模式図である。
【符号の説明】
【０１３５】
P             人（対象物）
100,200       空気調和システム
2,2A,2B,2C    静電噴霧装置（帯電霧化手段）
22            電源（電界形成手段）
3             導電性デスク（対象物接地手段）
50            ノズルユニット（電界形成手段）
51            噴霧ノズル（水供給部）
60            電極ホルダー（電界形成手段）
7A            超音波霧化部（霧化手段）
7B            分極部（帯電手段）
8             遠心式噴霧部（霧化手段）
9             コロナ放電部（帯電手段）
10            スプレー式噴霧部（霧化手段）
203           帯電デスク（対象物帯電手段）
【図１】
2008039207.tif 000003
【図２】
2008039207.tif 000004
【図３】
2008039207.tif 000005
【図４】
2008039207.tif 000006
【図５】
2008039207.tif 000007
【図６】
2008039207.tif 000008
【図７】
2008039207.tif 000009
【図８】
2008039207.tif 000010
【図９】
2008039207.tif 000011
【図１０】
2008039207.tif 000012
【図１１】
2008039207.tif 000013
【図１２】
2008039207.tif 000014
【図１３】
2008039207.tif 000015